(57)【要約】【課題】  骨組みを使わず簡易に、外形を形成する各面を平面状とすることが可能な風船構造体を提供する。【解決手段】  外形が多角柱又は多角錐で、内部に気体が充填されてなるものであって、軟質材製の外側袋体２と、軟質材製の内側袋体３と、吐出弁２０と、供給弁１０と、内側袋体３内に気体を供給する送風装置４と、内側袋体３を密封する台座７と、外側袋体２を密封する支持板９を備え、外部気体取入口８から取込まれた気体と、外側袋体２と内側袋体３との空間内の気体を、送風装置４を介して内側袋体３内に供給し、内側袋体３内の気体を供給弁１０を介して外側袋体２と内側袋体３との空間内に供給し、その空間内の気体の一部を吐出弁２０から外側袋体２の外側に吐き出すとともに残りの気体を送風装置４に導くようにして、外側袋体２を形成する各面を平面状とする。【選択図】図１
2009251259.tif 000002
【特許請求の範囲】
【請求項１】
外形が多角柱又は多角錐で、内部に気体が充填されてなる風船構造体であって、
前記外形を形成する、下方が開口した軟質材製の外側袋体と、
前記外側袋体に包含され、前記外側袋体と空間を隔てて配置された、下方が開口した軟質材製の内側袋体と、
前記外側袋体に設けられ、前記外側袋体内の気体を前記外側袋体の外側に吐き出す吐出弁又は吐出穴と、
前記内側袋体に設けられ、前記内側袋体内の気体を前記外側袋体との空間に供給する供給弁又は供給穴と、
前記内側袋体内に気体を供給する送風装置と、
前記送風装置が取付けられるとともに、気体を吸い込む内部気体取入口と、前記内部気体取入口から吸い込まれた気体を前記送風装置に導く流路が形成され、前記内側袋体の開口部を蓋状に覆い密封する台座と、
前記台座を内方位置で支持し、気体を外部から取込み前記台座に形成された流路に導く外部気体取入口が形成され、前記外側袋体の開口部を蓋状に覆い密封する支持板と、を備え、
前記支持板に形成された前記外部気体取入口から取込まれた気体と、前記外側袋体と内側袋体との空間内の気体を、前記送風装置を介して前記内側袋体内に供給し、前記内側袋体内の気体を前記供給弁又は供給穴を介して前記外側袋体と内側袋体との空間内に供給し、その空間内の気体の一部を前記吐出弁又は吐出穴から前記外側袋体の外側に吐き出すとともに残りの気体を前記送風装置に導くようにして、前記外側袋体を形成する各面を平面状とすることを特徴とする風船構造体。
【請求項２】
前記外側袋体に突出形成された軟質材製の変形部と、
前記変形部に設けられ、前記変形部内の気体を大気中に吐き出す変形部用吐出弁又は変形部用吐出穴と、をさらに備えるとともに、
前記外側袋体に設けられた前記吐出弁を前記変形部との間に設け、前記外側袋体内の気体を前記変形部内に吐き出すようにし、
前記供給弁及び前記吐出弁のうち少なくとも一つを、弁の断続的な開放又は閉鎖動作によって気体を吐出又は遮断するようにし、前記変形部を前記弁の開放にともなう気体の供給によって起立状態とし、前記弁の閉鎖にともなう気体の供給遮断によって前記起立状態を前倒状態とするように断続的に変形させることを特徴とする請求項１に記載の風船構造体。
【請求項３】
前記外側袋体に突出形成された軟質材製の変形部と、
前記変形部に設けられ、前記変形部内の気体を大気中に吐き出す変形部用吐出弁又は変形部用吐出穴と、
前記外側袋体と前記変形部との間に設けられ、前記外側袋体内の気体を前記変形部内に吐き出す変形部用供給弁と、をさらに備えるとともに、
前記変形部用供給弁を、弁の断続的な開放又は閉鎖動作によって気体を吐出又は遮断するようにし、前記変形部を前記弁の開放にともなう気体の供給によって起立状態とし、前記弁の閉鎖にともなう気体の供給遮断によって前記起立状態を前倒状態とするように断続的に変形させることを特徴とする請求項１に記載の風船構造体。
【請求項４】
前記内側袋体の外形は、前記外側袋体の外形と略相似形であることを特徴とする請求項１乃至３のうちいずれか一つに記載の風船構造体。
【請求項５】
前記外側袋体の外形を立方体又は直方体としたことを特徴とする請求項１乃至４のうちいずれか一つに記載の風船構造体。
【請求項６】
前記内側袋体の外形は、前記外側袋体の外形と略相似形であるとともに、前記外側袋体の外形を立方体又は直方体とし、
しかも、前記内側袋体の上部頂点から相対向する前記外側袋体の上部頂点に延び、前記外側袋体を支持して前記六面体の形状を保持する形状保持部材を備えることを特徴とする請求項１乃至３のうちいずれか一つに記載の風船構造体。
【請求項７】
前記気体をヘリウムガスとして、大気中に浮遊可能にしたことを特徴とする請求項１乃至６のうちいずれか一つに記載の風船構造体。
【発明の詳細な説明】
【技術分野】
【０００１】
本発明は、例えば、住宅展示場などの各種の催し場において宣伝、広告の目的で使用される、風船構造体に関するものである。
【背景技術】
【０００２】
従来から、住宅展示場や自動車販売場などの各種催し場において、また目印として、多種の風船構造体が宣伝や広告の目的で多く使用されている。
こうした来場者の注目を集めるための風船構造体は、より目立たせるために球状以外の形状のものも多い。例えば、多角柱や多角錐のものがある。
【０００３】
しかし、このような風船構造体は軟質材で形成されているので、気体を充填させると、内圧で当該立体を構成する各面の中心部分は膨らみ、各面を平面とする理想的な立体形状とは相違したものとなる（図２０参照）。
一方、各面を平面にしようとしたときには、硬質の骨組みを有する構造体となる（例えば、特許文献１参照）。
【０００４】
【特許文献１】特開平９−１９０５８４号公報
【０００５】
特許文献１に記載の発明は、方形状反射板が立方体の風船構造体内部で互いに直交しているという構成であり、これにより各面が平面となっている。
【発明の開示】
【発明が解決しようとする課題】
【０００６】
しかしながら、多角柱又は多角錐の面が膨らんでしまうと、斜めから来場者や通行人が見た場合、面に付された文字や模様のうち、面中央部の膨らみにより来場者から遠い箇所が見えにくい。
このような広告は様々な角度から見られうるものなので、面に付された文字等の見えやすい角度がより大きいほうが好ましい。
【０００７】
また、このような風船構造体は、その宣伝効果が大きくなるように、大きい風船構造体を使用する場合が多い。そして、風船構造体が大きいほど内圧による面中央部の膨らみの量が大きくなってしまい、それに伴い、視認可能角度はより小さくなる。このように、文字等の視認可能角度が小さいものは、広告としての効果が低減してしまうので好ましくない。
【０００８】
また、風船構造体のデザイン上、設計者が外形を平面状とした風船構造体を表現したい場合が考えられる。現状の技術では表現方法が制限されているため、風船構造体の面を平面状として作れるようになれば、現状以上の注目を集められる広告に応用できる可能性がある。
【０００９】
一方、平面を作るため、硬質の骨組みがあるテントのような構造体が考えられるが、これでは骨組みが嵩張り、且つ重量が増加するので輸送に不利である。
また雨天や強風時には解体が必要となるので、解体や組み立ての手間がかかるといった問題もある。
【００１０】
そこで、本発明の目的とするところは、骨組みを使わず簡易に、外形を形成する各面を平面状とすることが可能な風船構造体を提供することにある。
【課題を解決するための手段】
【００１１】
上記の目的を達成するために、本発明の請求項１に記載の風船構造体（１）は、外形が多角柱又は多角錐で、内部に気体が充填されてなる風船構造体（１）であって、
前記外形を形成する、下方が開口した軟質材製の外側袋体（２）と、
前記外側袋体（２）に包含され、前記外側袋体（２）と空間を隔てて配置された、下方が開口した軟質材製の内側袋体（３）と、
前記外側袋体（２）に設けられ、前記外側袋体（２）内の気体を前記外側袋体（２）の外側に吐き出す吐出弁（２０）又は吐出穴（２ａ）と、
前記内側袋体（３）に設けられ、前記内側袋体（３）内の気体を前記外側袋体（２）との空間に供給する供給弁（１０）又は供給穴（３ａ）と、
前記内側袋体（３）内に気体を供給する送風装置（４）と、
前記送風装置（４）が取付けられるとともに、気体を吸い込む内部気体取入口（５）と、前記内部気体取入口（５）から吸い込まれた気体を前記送風装置（４）に導く流路（６）が形成され、前記内側袋体（３）の開口部を蓋状に覆い密封する台座（７）と、
前記台座（７）を内方位置で支持し、気体を外部から取込み前記台座（７）に形成された流路（６）に導く外部気体取入口（８）が形成され、前記外側袋体（２）の開口部を蓋状に覆い密封する支持板（９）と、を備え、
前記支持板（９）に形成された前記外部気体取入口（８）から取込まれた気体と、前記外側袋体（２）と内側袋体（３）との空間内の気体を、前記送風装置（４）を介して前記内側袋体（３）内に供給し、前記内側袋体（３）内の気体を前記供給弁（１０）又は供給穴（３ａ）を介して前記外側袋体（２）と内側袋体（３）との空間内に供給し、その空間内の気体の一部を前記吐出弁（２０）又は吐出穴（２ａ）から前記外側袋体（２）の外側に吐き出すとともに残りの気体を前記送風装置（４）に導くようにして、前記外側袋体（２）を形成する各面を平面状とすることを特徴とする。
【００１２】
また、請求項２に記載の風船構造体（１）は、前記外側袋体（２）に突出形成された軟質材製の変形部（Ｈ）と、
前記変形部（Ｈ）に設けられ、前記変形部（Ｈ）内の気体を大気中に吐き出す変形部用吐出弁（３０）又は変形部用吐出穴と、をさらに備えるとともに、
前記外側袋体（２）に設けられた前記吐出弁（２０）を前記変形部（Ｈ）との間に設け、前記外側袋体（２）内の気体を前記変形部（Ｈ）内に吐き出すようにし、
前記供給弁（１０）及び前記吐出弁（２０）のうち少なくとも一つを、弁の断続的な開放又は閉鎖動作によって気体を吐出又は遮断するようにし、前記変形部（Ｈ）を前記弁の開放にともなう気体の供給によって起立状態とし、前記弁の閉鎖にともなう気体の供給遮断によって前記起立状態を前倒状態とするように断続的に変形させることを特徴とする。
【００１３】
また、請求項３に記載の風船構造体（１）は、前記外側袋体（２）に突出形成された軟質材製の変形部（Ｈ）と、
前記変形部（Ｈ）に設けられ、前記変形部（Ｈ）内の気体を大気中に吐き出す変形部用吐出弁（３０）又は変形部用吐出穴と、
前記外側袋体（２）と前記変形部（Ｈ）との間に設けられ、前記外側袋体（２）内の気体を前記変形部（Ｈ）内に吐き出す変形部用供給弁（１０）と、をさらに備えるとともに、
前記変形部用供給弁（１０）を、弁の断続的な開放又は閉鎖動作によって気体を吐出又は遮断するようにし、前記変形部（Ｈ）を前記弁の開放にともなう気体の供給によって起立状態とし、前記弁の閉鎖にともなう気体の供給遮断によって前記起立状態を前倒状態とするように断続的に変形させることを特徴とする。
【００１４】
また、請求項４に記載の風船構造体（１）は、前記内側袋体（３）の外形は、前記外側袋体（２）の外形と略相似形であることを特徴とする。
【００１５】
また、請求項５に記載の風船構造体（１）は、前記外側袋体（２）の外形を立方体又は直方体としたことを特徴とする。
【００１６】
また、請求項６に記載の風船構造体（１）は、前記内側袋体（３）の外形は、前記外側袋体（２）の外形と略相似形であるとともに、前記外側袋体（２）の外形を立方体又は直方体とし、
しかも、前記内側袋体（３）の上部頂点から相対向する前記外側袋体（２）の上部頂点に延び、前記外側袋体（２）を支持して前記六面体の形状を保持する形状保持部材（Ｋ）を備えることを特徴とする。
【００１７】
また、請求項７に記載の風船構造体（１）は、前記気体をヘリウムガスとして、大気中に浮遊可能にしたことを特徴とする。
【００１８】
ここで、上記括弧内の記号は、図面および後述する発明を実施するための最良の形態に掲載された対応要素または対応事項を示す。
【００１９】
なお、ここでの平面状とは、完全な平面を含むとともに、各面の内圧による膨らみが従来例に比べ小さい、略平面状であることも含むことを示す。
【発明の効果】
【００２０】
本発明の請求項１に記載の風船構造体によれば、軟質材製の外側袋体と、軟質材製の内側袋体と、吐出弁又は吐出穴と、供給弁又は供給穴と、内側袋体内に気体を供給する送風装置と、内側袋体を密封する台座と、外側袋体を密封する支持板を備え、外側袋体と内側袋体の二重構造を設けていることにより、外側袋体と内側袋体との空間内に気体の流れができるため、従来の一重構造に比べ外側袋体の各面中央部に内圧がかかりにくくなり、外側袋体を形成する各面を平面状とすることが可能となる。
【００２１】
すなわち、この風船構造体は外形を形成する各面が平面状となるので、外形が多角柱又は多角錐であることを忠実に再現できる。
また、従来の風船構造体の、各面の膨らみ量が大きいものに比べ、風船構造体の面に付された文字や模様の見えやすい角度が大きくなり、広告としての効果が増大する。
また、平面状を有する風船構造体を作れるようになることは、現状以上の注目を集められる広告に応用できるデザインが考案される可能性につながる。
また、骨組みを使わないので輸送に有利であり、加えて解体や組み立てにおいて時間がかからない。
【００２２】
本発明の請求項２に記載の風船構造体によれば、請求項１に記載の発明の作用効果に加えて、外側袋体に突出形成された変形部と、変形部内の気体を大気中に吐き出す変形部用吐出弁又は変形部用吐出穴とをさらに備え、弁の閉鎖にともなう気体の供給遮断によって変形部を起立状態から前倒状態，あるいはその逆に前倒状態から起立状態にするように断続的に変形させるので、広告として面白みがある。例えば、変形部をびっくり箱の蓋に見立てて、蓋が断続的に開閉するびっくり箱に応用できる。
【００２３】
本発明の請求項３に記載の風船構造体によれば、請求項１に記載の発明の作用効果に加えて、外側袋体に突出形成された変形部と、変形部内の気体を大気中に吐き出す変形部用吐出弁又は変形部用吐出穴と、外側袋体内の気体を変形部内に吐き出す変形部用供給弁とをさらに備え、弁の閉鎖にともなう気体の供給遮断によって変形部を起立状態から前倒状態，あるいはその逆に前倒状態から起立状態にするように断続的に変形させるので、広告として面白みがある。例えば、変形部をびっくり箱の蓋に見立てて、蓋が断続的に開閉するびっくり箱に応用できる。
【００２４】
本発明の請求項４に記載の風船構造体によれば、請求項１乃至３に記載の発明の作用効果に加えて、内側袋体の外形は、外側袋体の外形と略相似形であることとしたので、外側袋体と内側袋体の空間をお互いが接しない程度に狭くすることができる。この空間が広いと、従来の外側袋体のみの風船構造体の構成に実質近づいてしまい、外側袋体の各面を平面状とすることが難しくなる。外側袋体と内側袋体の空間を狭くすることは外側袋体の各面を効果的に平面状とできることに繋がる。
【００２５】
本発明の請求項５に記載の風船構造体によれば、請求項１乃至４に記載の発明の作用効果に加えて、外側袋体の外形を立方体又は直方体としたので、例えば、箱を模した風船構造体を作ることができる。
【００２６】
本発明の請求項６に記載の風船構造体によれば、請求項１乃至３に記載の発明の作用効果に加えて、内側袋体の外形は、外側袋体の外形と略相似形であるとともに、外側袋体の外形を立方体又は直方体とし、しかも、内側袋体の上部頂点から相対向する外側袋体の上部頂点に延び、外側袋体を支持して六面体の形状を保持する形状保持部材を備えたので、内側袋体の膨らみを十分に保つとき、形状保持部材が内部から外側袋体を支えることにより、外側袋体の各面四隅は各頂点方向に引っ張られ、各面を平面状とすることができる。
【００２７】
本発明の請求項７に記載の風船構造体によれば、請求項１乃至６に記載の発明の作用効果に加えて、気体をヘリウムガスとして、大気中に浮遊可能としたので、より注目を集めることができる広告となりうる。
また、大気中に浮遊するということは、必然的に下から斜めに見上げるということであるので、従来の外側袋体の各面の膨らみ量が大きいものに比べ、風船構造体の面に付された文字や模様が地上からも見えやすい。
【００２８】
なお、本発明のように、骨組みを使わずに、可能な限り各面を平面に近づけるようにすることに関して、上述した特許文献１には全く記載されていない。
【発明を実施するための最良の形態】
【００２９】
（第一実施形態）
図１乃至図１２を参照して、本発明の第一実施形態に係る風船構造体１について説明する。図１は、本発明の第一実施形態に係る風船構造体１を示す斜視図である。図２は、図１のＡ−Ａ線断面図である。図３は、図１に示す風船構造体１の底面図である。図４は、図１に示す風船構造体１の分解斜視図であり、外側袋体２，内側袋体３，送風装置４が取付けられた台座７，支持板９を示している。
【００３０】
この風船構造体１は、住宅展示場や自動車販売場の各種催し場において宣伝の目的に使用されるもので、外側袋体２、内側袋体３、吐出弁２０、供給弁１０、送風装置４、台座７および支持板９を備える。なお送風装置４は、商用電源などの電源部Ｄに接続し、この電源部Ｄから供給される電力によって作動させる。
【００３１】
外側袋体２は、外形の殆ど（支持板９を除く部分）を形成するもので、外形が立方体で、その下方の面が全て開口しており、開口部端面にはファスナーＦが備えられている。そして、ファスナーＦは、支持板９のファスナーＦと共に、外側袋体２と支持板９を密封する。材質は、供給弁１０によって供給される気体によって容易に膨れる布やビニールなどの軟質材であり、また、内部にある内側袋体３が透けて見えないような不透明なものである。
【００３２】
内側袋体３は、外形が外側袋体２と略相似形で、その下方の面が全て開口しており、開口部端面内側には面ファスナー（例えば、マジックテープ（登録商標））Ｍが備えられている。この面ファスナーＭは、台座７に備えられた面ファスナー（例えば、マジックテープ（登録商標））Ｍと密着することにより、台座７が内側袋体３の開口部を蓋状に覆う。この際、内部気体取入口５を塞がないように、内側袋体３の各側面の下端中央には、長方形の切欠部３ｂが設けられている。また、上部頂点から相対向する外側袋体２の上部頂点に延び、外側袋体２を内側から支持して、風船構造体１の立方体の形状を保持するように、形状保持部材Ｋが備えられている。形状保持部材Ｋは、プラスチック製で、内側袋体３に取付けられており、外側袋体２の頂点周辺部と接する部分は、頂点を中心に各面が９０°となるよう構成され、外側袋体２の頂点周辺部をそれぞれ面で支持する。
また、側面に複数の小穴状の供給穴３ａを備える。なお、供給穴３ａはわざわざ内側袋体３に設けられたものでなくても、例えば、布で構成された内側袋体３の縫い目や、布の目等を供給穴３ａと見立ててもよい。
【００３３】
材質は、送風装置４によって供給される気体によって容易に膨れる布やビニールなどの軟質材である。
また、内側袋体３は、外側袋体２に包含され、内側袋体３と外側袋体２が気体で満たされ両者が所定の形状になった際、形状保持部材Ｋを除き、外側袋体２との間に空間を保てるような大きさと配置が選択されている。
【００３４】
吐出弁２０は、外側袋体２に設けられ、外側袋体２内の気体を外側袋体２の外側に吐き出すもので、図９乃至図１１に示すように、円板状の固定板２１と回転板２２を、摘み部２３を有する皿ネジ２４と雌ネジ２５で重ねた状態で固定して構成している。ここで、図９は、図１に示す風船構造体の吐出弁２０を示す断面図、図１０は、図９に示す吐出弁２０の回転板２２を示す平面図、図１１は、図９に示す吐出弁２０の固定板２１を示す平面図である。この固定板２１と回転板２２には、その外周端部側に対向して三つの通孔２１ａと三つの孔部２２ａを形成しており、図１２に示すように、この通孔２１ａと孔部２２ａの重なり具合を調整することによって、外側袋体２と内側袋体３との空間内から大気中へ吐き出す気体の流量を設定する。なお、固定板２１と回転板２２の中心部には、それぞれ皿ネジ２４を通すための嵌合孔２１ｂと貫通孔２２ｂが形成されている。
【００３５】
供給弁１０は、内側袋体３に設けられ、弁の開口量によって内側袋体３内の気体を外側袋体２との空間に連続的に供給するものである。
この供給弁１０は、図５乃至図７に示すように、固定弁部１２と回転弁部１３を備えている。ここで、図５は、図１に示す風船構造体１の供給弁１０を示す断面図、図６は、図５に示す供給弁１０の回転弁部１３を示す平面図、図７は、図５に示す供給弁１０の固定弁部１２を示す平面図である。
固定弁部１２は、円板状でその中心部に形成した挿通孔１２ｂに、モーター１１の駆動部１１ａから突出した回転軸１１ｂを回転自在に挿通するとともに、下面をモーター１１の駆動部１１ａの上部に固定している。そして、固定弁部１２の中心部（挿通孔１２ｂの位置）から外れた外周端部側の位置に、気体を通過させる円形状の孔をした固定孔１２ａを一つ形成している（図７参照）。ここでは、固定孔１２ａの大きさと挿通孔１２ｂの大きさを同一にした。
【００３６】
回転弁部１３は、固定弁部１２の上面に固定弁部１２に摺接した状態で配置された同じく円板状で、その中心部にモーター１１の回転軸１１ｂが嵌入して回転軸１１ｂに固定される組付孔１３ｂを形成している。そして、回転弁部１３の中心部（組付孔１３ｂの位置）から外れた外周端部側の位置に固定孔１２ａからの加圧気体を断続的に通過させる略三日月状の長孔をした移動孔１３ａを一つ形成している（図６参照）。
【００３７】
この回転弁部１３は、手動により回転軸１１ｂとともに回転しながら、供給弁１０を開放する開放位置と供給弁１０を閉鎖する閉鎖位置との間を移動する。つまり、図８（ａ）に示すように、移動孔１３ａが固定弁部１２の固定孔１２ａに重なり供給弁１０を開放する開放位置において気体を通す状態や、図８（ｂ）に示すように、移動孔１３ａが固定弁部１２の固定孔１２ａに一部重なり供給弁１０を一部開放する開放位置において気体を通す状態を選択することができる。それにより、内側袋体３から外側袋体２へ供給する気体の量を設定する。
その選択の際、回転弁部１３の下面は固定弁部１２の上面に摺接した状態で回転する。
ナット１４は、回転軸１１ｂに螺合して組付き、回転弁部１３が回転軸１１ｂから抜け出すのを防止するはたらきと、移動孔１３ａと固定孔１２ａの最適な重なり位置で回転弁部１３を固定するはたらきを担う。ナット１４を緩めることで回転軸１１ｂから回転弁部１３を容易に取外することができ、ナット１４を締めることで回転弁部１３と固定弁部１２の位置関係を固定できる。
なお、この第一実施形態においては供給弁のモーターを作動させる必要はない。
【００３８】
送風装置４は、台座７に取付けられ、内側袋体３内に連続的に気体を供給するものであり、モーターとファンで構成している。
【００３９】
台座７は、正方形状の板であり、送風装置４が取付けられるとともに、内部気体取入口５と流路６と面ファスナーＭを備える。
台座７の側面中央部には４方向ともに長方形の穴が開いており、それが内部気体取入口５となる。台座７の上面に内部気体取入口５が開口しないように、内部気体取入口５の上部にはそれぞれ壁が立設されており、その壁の側面と内部気体取入口５の両側に面ファスナーＭが貼付される。台座７が内側袋体３の開口部を蓋状に覆う際、内側袋体３の開口部内側の面ファスナーＭと密着する。
流路６は、台座７の上面中央に気体を通過させる円形状の孔として形成されており、内部気体取入口５と通じている。
【００４０】
支持板９は、正方形状の板であり、台座７を内方位置となる中央部で支持し、外部気体取入口８と気体取入調整部Ｓと下部角形状部材ＵとファスナーＦと保護ネットＮとキャスターＣを備える。
外部気体取入口８は、支持板９の中心部に、気体を通過させる円形状の孔として形成されている。
気体取入調整部Ｓは、送風装置４に送る気体の量を設定するために設けられている。気体取入調整部Ｓには、両端に長穴Ｒが設けられており、長穴Ｒにガイドされるように貫通し気体取入調整部Ｓを支持板９に取付ける固定ネジＱがそれぞれ取付けられている。固定ネジＱを緩めた状態では、外部気体取入口８を全て塞ぐ位置から、外部気体取入口８を全て開口させる位置まで長穴Ｒの長さ分だけ、長穴Ｒの長手方向に移動することができ、気体取入調整部Ｓと外部気体取入口８の重なり具合を調整することによって、外部から流路６を通じて送風装置４へ送る気体の流量を設定する。設定した後、固定ネジＱを締めることで気体取入調整部Ｓを固定することができる。
下部角形状部材Ｕは、硬質部材で構成されており、二等辺三角形の部材を、頂角から底辺に下ろした垂線において９０°折り曲げた形状であり、支持板９の四隅にそれぞれ配置されている。支持板９が外側袋体２の開口部を蓋状に覆い密封する際、外側袋体２の開口部が下部角形状部材Ｕに沿うため、外側袋体２の開口部の隅部が直角になる補助となる。
ファスナーＦは、支持板９の上面端部に設けられており、外側袋体２の開口部を蓋状に覆う際、外側袋体２開口部のファスナーＦと共に閉じられ外側袋体２を密封する。
保護ネットＮは、送風装置４に異物が入ることを防止するために、支持板９の上面に外部気体取入口８を覆うように設けられている。
キャスターＣは、支持板９の底面四隅に設けられており、風船構造体１を移動自在としている。
【００４１】
この風船構造体１は、次のように作動する。まず、送風装置４を作動させ、支持板９に形成された外部気体取入口８から取込まれた気体と、外側袋体２と内側袋体３との空間内の気体を、送風装置４を介して内側袋体３の内部に連続的に供給する。これによって、内側袋体３はその内部圧力が上昇して膨らみ、起立する。その起立に伴い、形状保持部材Ｋが相対向する外側袋体２の上部頂点を、それぞれ内側から支持する。ここで、送風装置４から連続的に気体が供給されているため、外側袋体２を支持するために十分な内側袋体３の内部圧力が保たれる。
【００４２】
次に、内側袋体３内部の気体が、供給弁１０と供給穴３ａを介して外側袋体２と内側袋体３との空間内に供給される。
ここで、送風装置４から内側袋体３の内部に供給される単位時間あたりの気体流量は、供給弁１０と供給穴３ａから、外側袋体２と内側袋体３との空間内に供給される単位時間あたりの気体流量より多く設定されているので、内側袋体３は容易に膨らむ。また、内側袋体３には、送風装置４から連続的に気体が供給されているので、外側袋体２と内側袋体３との空間内には、供給弁１０から十分な量の気体を供給することができる。
【００４３】
次に、外側袋体２と内側袋体３との空間内の気体の一部は、吐出弁２０から外側袋体２の外側に吐き出され、残りの気体は、内部気体取入口５から流路６を通じて送風装置４に導かれ、再び内側袋体３の内部へ供給される。
【００４４】
以上のように、形状保持部材Ｋによる外側袋体２の支持と、外側袋体２と内側袋体３の二重構造を設けていることによる、外側袋体２と内側袋体３との空間内に気体の流れのため、従来の一重構造に比べ外側袋体の各面中央部に内圧がかかりにくくなり、外側袋体２を形成する各面を平面状とできる。なお、気体取入調整部Ｓ、供給弁１０、吐出弁２０の開度は、気体の循環が、外側袋体２の各面を平面状とすることに関して最適になるように、設定されている。
【００４５】
本実施形態に係る風船構造体１は、外側袋体２、内側袋体３、吐出弁２０、供給弁１０と供給穴３ａ、送風装置４、台座７および支持板９によって、風船構造体１を膨張させるので、骨組みを使わずに、外形を形成する立方体の各面が平面状とすることが可能となる。すなわち、形状保持部材Ｋが内部から外側袋体２を支え、且つ吐出弁２０と供給弁１０を備えるため、送風装置４から供給された気体が直接外側袋体２を膨張させず、外側袋体２の各面を平面状とする。したがって、骨組みを使うことがないので輸送に有利であり、加えて解体や組み立てにおいて時間がかからない。さらに、外形が立方体であるにも関わらず、外形を形成する各面を平面状とすることが可能となる。
【００４６】
また、内側袋体３の膨らみを十分に保つとき、形状保持部材Ｋが内部から外側袋体２を支えた状態で、風船構造体１が起立しているので、形状保持部材が内部から外側袋体を支えることにより、外側袋体の各面四隅は各頂点方向に引っ張られるため、各面を容易に平面状とすることができる。
【００４７】
なお、本実施形態については、外側袋体２に吐出弁２０を設けて外側袋体２内の気体を外側袋体２の外側、ここでは外気に吐き出すようにしたが、図１３及び図１４に示すように、吐出弁２０にかえて、外側袋体２の側面に複数の小穴状の吐出穴２ａを設け、これら吐出穴２ａを介して外側袋体２内の気体を外気に吐き出すようにしてもよい。なお、吐出穴２ａはわざわざ外側袋体２に設けられたものでなくても、例えば、布で構成された外側袋体２の縫い目や、布の目等を吐出穴２ａと見立ててもよい。また、吐出弁２０と吐出穴２ａを併用してもよい。
【００４８】
また、本実施形態では、内側袋体３に供給弁１０と供給穴３ａを設け、内側袋体３内の気体を外側袋体２との空間に供給するようにしたが、図１３及び図１４に示すように、供給弁１０を取除き、供給穴３ａだけを介して内側袋体３内の気体を外側袋体２との空間に供給するようにしてもよい。なお、上述したように、このとき、供給穴３ａをわざわざ内側袋体３に設けるのではなく、例えば、布で構成された内側袋体３の縫い目や、布の目等を供給穴３ａと見立てて使用してもよい。
【００４９】
なお、本実施形態については、住宅展示場での広告に限られるものではなく、例えば、小型にして家庭用おもちゃとしても良い。
【００５０】
（第二実施形態）
次に、図８、図１５及び図１６を参照して、本発明の第二実施形態に係る風船構造体１について説明する。本実施形態はびっくり箱を模しており、図８は、図１６に示す供給弁１０の固定弁部１２と回転弁部１３の組付き姿勢を示す平面図であり、（ａ）は固定孔１２ａと移動孔１３ａが重なった状態、（ｂ）は部分的に重なった状態、（ｃ）は完全に重なりがずれた状態を示す。図１５は、本発明の第二実施形態に係る風船構造体を示す斜視図である。図１６は、図１５のＢ−Ｂ線断面図である。なお、第一実施形態で示したものと同一部分には同一符号を付した。
【００５１】
この風船構造体１も、第一実施形態で示したものと同様に、外側袋体２、内側袋体３、吐出弁２０、供給弁１０、送風装置４、台座７および支持板９を備える。なお送風装置４は、商用電源などの電源部Ｄに接続し、この電源部Ｄから供給される電力によって作動させる。
第一実施形態と相違する箇所は、変形部Ｈと変形部用吐出弁３０（なお、変形部用吐出弁３０を変形部用吐出穴にかえることもできるし、両者を併用することもできる）を備えたこと、外側袋体２に設けられた吐出弁２０を変形部Ｈとの間に設けたこと、また電源部Ｄには送風装置４に加え、供給弁１０が接続されていることである。
【００５２】
この供給弁１０の回転弁部１３は、本実施形態では第一実施形態とは異なり、電力が供給されているため、モーター１１によって回転軸１１ｂとともに回転しながら、供給弁１０を開放する開放位置と供給弁１０を閉鎖する閉鎖位置との間を移動する。すなわち、図８（ａ）に示すように、移動孔１３ａが固定弁部１２の固定孔１２ａに重なり供給弁１０を開放する開放位置において気体を通す状態と、図８（ｂ）に示すように、移動孔１３ａが固定弁部１２の固定孔１２ａに一部重なり供給弁１０を一部開放する開放位置において気体を通す状態と、図８（ｃ）に示すように、移動孔１３ａが固定弁部１２の固定孔１２ａに重なることなく供給弁１０を閉鎖する閉鎖位置において気体を遮断する状態とを繰り返す。
【００５３】
変形部Ｈは、吐出弁２０によって供給される気体によって容易に膨れる布やビニールなどの軟質材であり、外側袋体２から突出形成されており、板状の蓋状部Ｉと伸縮部Ｊとからなる。
蓋状部Ｉは、外側袋体２の底面と同じ大きさの正方形であり、一辺は外側袋体２の一辺と共有している。なお、本実施形態では、蓋状部Ｉはびっくり箱の蓋を模している。
伸縮部Ｊは、その端部が蓋状部Ｉと外側袋体２に隙間無く接し、伸縮部Ｊと蓋状部Ｉと外側袋体２で囲まれた空間に気体を収納することができる。この空間内に気体が入れば容易に膨れ、また空間内より気体が出れば収縮する。
変形部用吐出弁３０は、設置位置の区別のため便宜上呼び方を吐出弁２０と相違させているが、吐出弁２０と同じ構造をしており、伸縮部Ｊに設けられている。吐出弁２０と同様の方法で、吐き出す気体の量を設定する。
【００５４】
本実施形態における風船構造体１の作動のうち、第一実施形態と相違点は、供給弁１０における気体の断続供給と、外側袋体２に設けられた吐出弁２０（なお吐出弁２０にかえて外側袋体２と変形部Ｈとの間に吐出穴を設けるようにしてもよい）を変形部Ｈとの間に設けたことと、変形部Ｈに関してのみであり、残りの第一実施形態で示したものと同一部分に関しては第一実施形態と同一の作動を行う。
【００５５】
内側袋体３に送風装置４から供給された気体は、供給弁１０と供給穴３ａを介して外側袋体２と内側袋体３との空間内に供給される。
この供給弁１０は、モーター１１の回転軸１１ｂが回転することによって、回転弁部１３が回転し、回転弁部１３の移動孔１３ａが固定弁部１２の固定孔１２ａと重なった状態で、内側袋体３の気体をこの固定孔１２ａと移動孔１３ａを通して、外側袋体２と内側袋体３との空間内に供給する。
【００５６】
次に、外側袋体２と内側袋体３との空間内の気体の一部は、吐出弁２０から変形部Ｈ内に吐き出され、残りの気体は、第一実施形態と同様、内部気体取入口５から流路６を通じて送風装置４に導かれ、再び内側袋体３の内部へ供給される。
この供給弁１０の開放にともなう気体の供給により、吐出弁２０を通じ、変形部Ｈの内部圧力が上昇して伸縮部Ｊは膨らみ起立状態を形成する。これにより、蓋状部Ｉは図１５に示すＸ方向に立ち上がる。この際、吐出弁２０から変形部Ｈに供給される短時間あたりの気体流量は、変形部用吐出弁３０によって大気中に吐き出される単位時間あたりの気体流量より多く設定しているので、変形部Ｈは容易に膨らむ。また、内側袋体３には、送風装置４によって連続的に気体が供給されているので、変形部Ｈには、供給弁１０から吐出弁２０を通じ、充分な量の気体を供給することができる。
【００５７】
この状態から、モーター１１の回転軸１１ｂおよび回転弁部１３の回転によって移動孔１３ａが固定孔１２ａからずれて気体の供給が遮断されると、変形部Ｈの気体が変形部用吐出弁３０から大気中に吐き出されて内部圧力が減少する。これによって、伸縮部Ｊが縮んで屈曲し、それに加えて蓋状部Ｉの自重によって前倒状態となる。これにより、蓋状部Ｉは図１５に示すＹ方向に前倒する。なお、この際、外側袋体２と内側袋体３との空間内に気体は供給されないが、送風装置４から供給される気体で内側袋体３の内部圧力は十分に保たれ、形状保持部材Ｋが外側袋体２を支持しているので、外側袋体２が自重で潰れることはない。
【００５８】
続いて、モーター１１の回転軸１１ｂ等の回転によって、移動孔１３ａが固定孔１２ａに再び重なると、変形部Ｈに気体が供給されて膨らみ起立状態を形成する。こうした動作を繰り返すことによって、変形部Ｈを断続的に変形させる。
【００５９】
このような風船構造体１によれば、外側袋体２、内側袋体３、吐出弁２０、供給弁１０、送風装置４、台座７、支持板９、変形部Ｈおよび変形部用吐出弁３０によって、第一実施形態で示したものと同様に骨組みを使わずに、外形を形成する立方体の各面が平面状とすることが可能となり、且つ変形部Ｈを断続的に変形することができる。すなわち、供給弁１０の断続的な開放又は閉鎖動作によって気体を吐出又は遮断するようにし、変形部Ｈを供給弁１０の開放にともなう気体の供給によって起立状態とし、供給弁１０の閉鎖にともなう気体の供給遮断によって起立状態を前倒状態とするように断続的に変形させたので、広告として面白みがある。また、立方体の各面を平面状として表現でき、且つ断続的屈曲変形する風船構造体が実現できたので、広告のデザインの幅が広がるといった効果が得られる。
【００６０】
なお、本実施形態については、内側袋体３に設けた供給弁１０の弁をモーター１１の回転で断続的に開放又は閉鎖させることによって変形部Ｈを変形させるようにしたが、供給弁１０にかえて、変形部Ｈと外側袋体２との間に設けた吐出弁２０に電源部Ｄを接続して吐出弁２０の弁をモーターの回転で断続的に開放又は閉鎖させることによって変形部Ｈを変形させるようにしてもよい。また、供給弁１０と吐出弁２０の両方の弁を回転させることによって変形部Ｈを断続的に変形させることもできる。
【００６１】
また、図１７に示すように、変形部Ｈと外側袋体２との間に設けた吐出弁２０を取除くとともに、変形部Ｈと外側袋体２との間に供給弁１０を設け、外側袋体２内の気体を変形部Ｈ内に吐き出す変形部用供給弁として機能させ、その供給弁１０を、弁の断続的な開放又は閉鎖動作によって気体を吐出又は遮断するようにし、変形部Ｈを弁の開放にともなう気体の供給によって起立状態とし、弁の閉鎖にともなう気体の供給遮断によって起立状態を前倒状態とするように断続的に変形させるようにしてもよい。
【００６２】
なお、本実施形態では変形部Ｈはびっくり箱の蓋としたが、これに限られるものではなく、この他に例えば、人の腕や動物の尻尾等を模したものでも良い。
また、住宅展示場での広告に限られるものではなく、例えば、小型にして家庭用おもちゃとしても良い。
【００６３】
（第三実施形態）
次に、図１８を参照して、本発明の第三実施形態に係る風船構造体１について説明する。本実施形態の構成は、第一実施形態における気体をヘリウムガスとしたこと以外、第一実施形態と同じである。
ヘリウムガスボンベＧは、チューブＴを介してヘリウムガスを外部気体取入口８に供給するものである。チューブＴの一端は外部気体取入口８と密着されており、外部気体取入口８からはヘリウムガス以外の気体は入らない。なお、供給されたヘリウムガムは、第一実施形態に係る風船構造体１と同様に、風船構造体１内を循環して吐出弁２０から外気に吐き出される。
これにより風船構造体１は大気中に浮遊可能となる。
【００６４】
このような風船構造体１によれば、第一及び第二実施形態と同様に、骨組みを使わずに、外形を形成する立方体の各面が平面状とすることが可能で、且つヘリウムガスによって大気中に浮遊可能となる。したがって、より注目を集めることができるといった効果が得られる。
【００６５】
なお、本発明の実施形態に係る風船構造体の外側袋体２と内側袋体３の構成は、第一乃至第三実施形態のように略相似形の立方体に限られるものではなく、２つの直方体でもよく、また図１９に示すように、例えば、（ａ）外側袋体２が三角柱で且つ内側袋体３も三角柱のもの、（ｂ）外側袋体２が三角柱で且つ内側袋体３が三角錐のもの、（ｃ）外側袋体２が立方体で且つ内側袋体３が三角柱のもの、（ｄ）外側袋体２が立方体で且つ内側袋体３が三角柱のもの、（ｅ）外側袋体２が三角錐で且つ内側袋体３が三角錐のもの等、外側袋体２と内側袋体３により二重構造となっているものは含まれる。
ただし、外側袋体２と内側袋体３との空間が広いと、従来の外側袋体２のみの風船構造体の構成に実質近づいてしまい、外側袋体２の各面を平面状とすることが難しくなるため、この空間が狭くなるような外側袋体２と内側袋体３の組み合わせを選ぶことが望ましい。
【図面の簡単な説明】
【００６６】
【図１】本発明の第一実施形態に係る風船構造体を示す斜視図である。
【図２】図１のＡ−Ａ線断面図である。
【図３】図１に示す風船構造体の底面図である。
【図４】図１に示す風船構造体の分解斜視図である。
【図５】図１に示す風船構造体の供給弁を示す断面図である。
【図６】図５に示す供給弁の回転弁部を示す平面図である。
【図７】図５に示す供給弁の固定弁部を示す平面図である。
【図８】図５に示す供給弁の固定弁部と回転弁部の組付き姿勢を示す平面図であり、（ａ）は固定孔と移動孔が重なった状態、（ｂ）は部分的に重なった状態、（ｃ）は完全に重なりがずれた状態を示す。
【図９】図１に示す風船構造体の吐出弁を示す断面図である。
【図１０】図９に示す吐出弁の回転板を示す平面図である。
【図１１】図９に示す吐出弁の固定板を示す平面図である。
【図１２】図９に示す吐出弁の固定板の回転板の組付き姿勢を示すもので、（ａ）は通孔と孔部が重なった状態、（ｂ）は部分的に重なった状態、（ｃ）は完全に重なりがずれた状態を示す。
【図１３】本発明の第一実施形態に係る別の風船構造体を示す分解斜視図である。
【図１４】図１３に示す風船構造体を示す断面図である。
【図１５】本発明の第二実施形態に係る風船構造体を示す斜視図である。
【図１６】図１５のＢ−Ｂ線断面図である。
【図１７】本発明の第二実施形態に係る別の風船構造体を示す断面図である。
【図１８】本発明の第三実施形態に係る風船構造体が浮遊した状態を示す斜視図である。
【図１９】本発明に係る風船構造体の他の実施形態を示すもので、（ａ）は外側袋体が三角柱で且つ内側袋体も三角柱のもの、（ｂ）は外側袋体が三角柱で且つ内側袋体が三角錐のもの、（ｃ）は外側袋体が立方体で且つ内側袋体が三角柱のもの、（ｄ）は外側袋体が立方体で且つ内側袋体が三角柱のもの、（ｅ）は外側袋体が三角錐で且つ内側袋体が三角錐のものである。
【図２０】従来例に係る立方体の風船構造体を示す斜視図であり、破線は理想的な立方体を示す。
【符号の説明】
【００６７】
１      風船構造体
２      外側袋体
２ａ    吐出穴
３      内側袋体
３ａ    供給穴
３ｂ    切欠部
４      送風装置
５      内部気体取入口
６      流路
７      台座
８      外部気体取入口
９      支持板
１０      供給弁
１１      モーター
１１ａ    駆動部
１１ｂ    回転軸
１２      固定弁部
１２ａ    固定孔
１２ｂ    挿通孔
１３      回転弁部
１３ａ    移動孔
１３ｂ    組付孔
１４      ナット
２０      吐出弁
２１ａ    通孔
２１ｂ    嵌合孔
２２      回転板
２２ａ    孔部
２２ｂ    貫通孔
２３      摘み部
２４      皿ネジ
２５      雌ネジ
３０      変形部用吐出弁
Ｃ      キャスター
Ｄ      電源部
Ｆ      ファスナー
Ｇ      ヘリウムガスボンベ
Ｈ      変形部
Ｉ      蓋状部
Ｊ      伸縮部
Ｋ      形状保持部材
Ｍ      面ファスナー
Ｎ      保護ネット
Ｑ      固定ネジ
Ｒ      長穴
Ｓ      気体取入調整部
Ｔ      チューブ
Ｕ      下部角形状部材
【図１】
2009251259.tif 000003
【図２】
2009251259.tif 000004
【図３】
2009251259.tif 000005
【図４】
2009251259.tif 000006
【図５】
2009251259.tif 000007
【図６】
2009251259.tif 000008
【図７】
2009251259.tif 000009
【図８】
2009251259.tif 000010
【図９】
2009251259.tif 000011
【図１０】
2009251259.tif 000012
【図１１】
2009251259.tif 000013
【図１２】
2009251259.tif 000014
【図１３】
2009251259.tif 000015
【図１４】
2009251259.tif 000016
【図１５】
2009251259.tif 000017
【図１６】
2009251259.tif 000018
【図１７】
2009251259.tif 000019
【図１８】
2009251259.tif 000020
【図１９】
2009251259.tif 000021
【図２０】
2009251259.tif 000022